(57)【要約】【課題】画像内の領域ごとの適切な音速値を、短時間で求めることができ、フレームレートを低下させることなく、高精度な超音波画像を構築することができる超音波検査装置を提供する。【解決手段】検査対象物内に複数の領域を設定する領域設定部と、領域の音速を算出する音速算出部と、予め設定された初期音速を記憶する初期音速記憶部と、領域設定部が設定した各領域において、初期音速記憶部に記憶されている初期音速に基づいて画像を生成した場合の画質を判定する画質判定部とを備え、判定結果が良の場合には、初期音速を該領域の音速として採用し、判定結果が否の場合には、音速算出部によって該領域の音速を算出することにより、上記課題を解決する。【選択図】図１
2014068755.tif 000002
【特許請求の範囲】
【請求項１】
超音波ビームを用いて検査対象物を検査する超音波検査装置であって、
前記検査対象物内に複数の領域を設定する領域設定部と、
前記領域の音速を算出する音速算出部と、
予め設定された初期音速を記憶する初期音速記憶部と、
前記領域設定部が設定した各前記領域において、前記初期音速記憶部に記憶されている前記初期音速に基づいた場合の画質を判定する画質判定部と、を備え、
各前記領域において、前記画質判定部の判定結果が良の場合には、前記初期音速を該領域の音速として採用し、判定結果が否の場合には、前記音速算出部によって該領域の音速を算出することを特徴とする超音波検査装置。
【請求項２】
前記初期音速記憶部は、複数の前記初期音速を記憶しておき、操作部からの入力に基づいて、前記画質判定部による画質判定に使用する前記初期音速を選択する請求項１に記載の超音波検査装置。
【請求項３】
前記初期音速記憶部に記憶される前記初期音速は、生体内の音速に近い値である請求項１または２に記載の超音波検査装置。
【請求項４】
前記生体内の音速に近い値は、１４００〜１７００ｍ／ｓの間の値である請求項３に記載の超音波検査装置。
【請求項５】
前記生体内の音速に近い値は、１４５０〜１５５０ｍ／ｓの間の値である請求項３または４に記載の超音波検査装置。
【請求項６】
前記画質判定部は、前記初期音速に基づいて生成した画像のシャープネス、輝度、コントラスト、周波数のいずれかに基づいて画質判定を行う請求項１〜５のいずれかに記載の超音波検査装置。
【請求項７】
前記画質判定部は、前記初期音速に基づいて生成した前記領域の整相加算後の受信データに基づいて生成した基準データと、整相加算前の受信データとの類似性を評価して画質判定を行う請求項１〜６のいずれかに記載の超音波検査装置。
【請求項８】
前記画質判定部の判定結果に基づいて、前記初期音速記憶部に記憶される前記初期音速を再設定する請求項１〜７のいずれかに記載の超音波検査装置。
【請求項９】
振動子アレイの各素子が超音波エコーを受信して出力する素子データを記憶する素子データ記憶部を有する請求項１〜８のいずれかに記載の超音波検査装置。
【請求項１０】
超音波ビームを用いて検査対象物を検査する超音波検査装置の信号処理方法であって、
前記検査対象物内に複数の領域を設定する領域設定ステップと、
前記領域の音速を算出する音速算出ステップと、
前記領域設定ステップで設定した各前記領域において、予め記憶されている初期音速に基づいた場合の画質を判定する画質判定ステップと、を備え、
各前記領域において、前記画質判定ステップの判定結果が良の場合には、前記初期音速を該領域の音速として採用し、判定結果が否の場合には、前記音速算出ステップによって該領域の音速を算出することを特徴とする超音波検査装置の信号処理方法。
【請求項１１】
超音波ビームを用いて検査対象物を検査する超音波検査装置の信号処理をコンピュータに実行させるプログラムであって、
前記検査対象物内に複数の領域を設定する領域設定ステップと、
前記領域の音速を算出する音速算出ステップと、
前記領域設定ステップで設定した各前記領域において、予め記憶されている初期音速に基づいた場合の画質を判定する画質判定ステップと、を備え、
各前記領域において、前記画質判定ステップの判定結果が良の場合には、前記初期音速を該領域の音速として採用し、判定結果が否の場合には、前記音速算出ステップによって該領域の音速を算出することを特徴とする超音波検査装置の信号処理プログラム。
【発明の詳細な説明】
【技術分野】
【０００１】
本発明は、超音波ビームを送受信することにより生体内の臓器等の検査対象物の撮像を行って、検査対象物の検査や診断のために用いられる超音波画像を生成する超音波検査装置、超音波検査装置の信号処理方法およびプログラムに関する。
【背景技術】
【０００２】
従来から、医療分野において、超音波画像を利用した超音波画像診断装置等の超音波検査装置が実用化されている。一般に、この種の超音波検査装置は、複数の素子（超音波トランスデューサ）を内蔵した超音波探触子（超音波プローブ）と、この超音波探触子に接続された装置本体とを有しており、超音波探触子の複数の素子から検査対象物（被検体）に向けて超音波ビームを送信し、被検体からの超音波エコーを超音波探触子で受信して、その受信した超音波エコー信号を装置本体で電気的に処理することにより超音波画像が生成される。
【０００３】
超音波検査装置においては、超音波画像を生成するとき、被検体の検査対象領域、例えば、生体内の臓器やその臓器内の病巣等に探触子の複数の素子から焦点を合わせて超音波ビームを送信し、検査対象領域の反射体、例えば臓器や病巣等の表面や界面からの超音波エコーを複数の素子を介して受信しているが、同一の反射体で反射された超音波エコーを複数の素子で受信するので、送信素子から送信された超音波ビームの焦点位置に位置する反射体で反射され、送信素子で受信された超音波エコー信号に対して、同一の反射体で反射され、送信素子と異なるその他の素子で受信された超音波エコー信号は遅延することになるので、複数の素子で受信した超音波エコー信号をＡ／Ｄ（アナログ／デジタル）変換して素子データとした後、素子データを受信フォーカス処理して、即ち遅延補正して位相を合わせ整相加算して音線信号を生成し、こうして得られた音線信号に基づいて超音波画像を生成している。
【０００４】
ところで、超音波検査装置において、超音波画像を生成するときには、被検体の生体内の音速は一定であると仮定して、超音波画像を生成している。しかしながら、実際の生体内は、生体内組織の性状に依存して音速値が変化するため、音速値にはばらつきがあり、このばらつきによって、超音波画像には空間的な歪みやコントラストあるいは空間分解能の低下といった画質劣化を生じていた。
これに対して、近年、被検体内の診断部位をより精度よく診断するために、任意の診断部位における音速値を最適化し、このような画像の歪みや空間分解能の低下等を低減し、画質を向上することが行われている。
【０００５】
例えば、特許文献１には、着目領域を設定する着目領域設定手段と、超音波探触子に対して着目領域に超音波を送信フォーカスさせる送信フォーカス指示手段と、着目領域からの超音波検出信号に対して受信フォーカスするための複数の設定音速を指定する設定音速指定手段と、複数の設定音速毎に受信フォーカスして、超音波検出信号のフォーカス指標を算出するフォーカス指標算出手段と、複数の設定音速毎のフォーカス指標に基づき、着目領域の環境音速を決定する環境音速決定手段とを備える超音波診断装置が開示されている。
特許文献１では、フォーカス指標に基づいて、超音波画像を構成する画素レベル毎あるいはライン画像レベル毎に、適正に環境音速を決定し、高精度の超音波画像を構築することが開示している。
【先行技術文献】
【特許文献】
【０００６】
【特許文献１】特開２０１１−９２６８６号公報
【発明の概要】
【発明が解決しようとする課題】
【０００７】
しかしながら、特許文献１に開示の技術では、従来技術よりも高画質な画像が得られるが、画素レベル毎あるいはライン画像レベル毎に、複数の設定音速に基づいて、網羅的にフォーカス指標を求めて、フォーカス指標が最も良くなる設定音速を、最適な音速（環境音速）とするため、全ての画素（ライン）の環境音速を求めるためには、時間を要するという問題があった。また、その結果、フレームレートが低下するという問題があった。
【０００８】
本発明の目的は、上記従来技術の問題点を解消し、画像内の領域ごとの適切な音速値を、短時間で求めることができ、フレームレートを低下させることなく、高精度な超音波画像を構築することができる超音波検査装置、超音波検査装置の信号処理方法およびプログラムを提供することにある。
【課題を解決するための手段】
【０００９】
上記目的を達成するために、本発明は、超音波ビームを用いて検査対象物を検査する超音波検査装置であって、検査対象物内に複数の領域を設定する領域設定部と、領域の音速を算出する音速算出部と、予め設定された初期音速を記憶する初期音速記憶部と、領域設定部が設定した各領域において、初期音速記憶部に記憶されている初期音速に基づいた場合の画質を判定する画質判定部と、を備え、各領域において、画質判定部の判定結果が良の場合には、初期音速を該領域の音速として採用し、判定結果が否の場合には、音速算出部によって該領域の音速を算出することを特徴とする超音波検査装置を提供する。
【００１０】
ここで、初期音速記憶部は、複数の初期音速を記憶しておき、操作部からの入力に基づいて、画質判定部による画質判定に使用する初期音速を選択することが好ましい。
また、初期音速記憶部に記憶される初期音速は、生体内の音速に近い値であることが好ましい。
ここで、生体内の音速に近い値は、１４００〜１７００ｍ／ｓの間の値であることが好ましい。
また、生体内の音速に近い値は、１４５０〜１５５０ｍ／ｓの間の値であることが好ましい。
【００１１】
また、画質判定部は、初期音速に基づいて生成した画像のシャープネス、輝度、コントラスト、周波数のいずれかに基づいて画質判定を行うことが好ましい。
また、画質判定部は、初期音速に基づいて生成した領域の整相加算後の受信データに基づいて生成した基準データと、整相加算前の受信データとの類似性を評価して画質判定を行うことが好ましい。
【００１２】
また、画質判定部の判定結果に基づいて、初期音速記憶部に記憶される初期音速を再設定することが好ましい。
また、振動子アレイの各素子が超音波エコーを受信して出力する素子データを記憶する素子データ記憶部を有することが好ましい。
【００１３】
また、上記目的を達成するため、本発明は、超音波ビームを用いて検査対象物を検査する超音波検査装置の信号処理方法であって、検査対象物内に複数の領域を設定する領域設定ステップと、領域の音速を算出する音速算出ステップと、領域設定ステップで設定した各領域において、予め記憶されている初期音速に基づいた場合の画質を判定する画質判定ステップと、を備え、各領域において、画質判定ステップの判定結果が良の場合には、初期音速を該領域の音速として採用し、判定結果が否の場合には、音速算出ステップによって該領域の音速を算出することを特徴とする超音波検査装置の信号処理方法を提供する。
【００１４】
また、上記目的を達成するため、本発明は、超音波ビームを用いて検査対象物を検査する超音波検査装置の信号処理をコンピュータに実行させるプログラムであって、検査対象物内に複数の領域を設定する領域設定ステップと、領域の音速を算出する音速算出ステップと、領域設定ステップで設定した各領域において、予め記憶されている初期音速に基づいた場合の画質を判定する画質判定ステップと、を備え、各領域において、画質判定ステップの判定結果が良の場合には、初期音速を該領域の音速として採用し、判定結果が否の場合には、音速算出ステップによって該領域の音速を算出することを特徴とする超音波検査装置の信号処理プログラムを提供する。
【発明の効果】
【００１５】
本発明によれば、撮像領域に複数の領域を設定し、設定した各領域において、予め設定されている初期音速に基づいて該領域の画質を判定し、判定結果が良の場合には、初期音速を該領域の音速として採用し、判定結果が否の場合には、音速算出部によって該領域の音速を算出すするので、領域ごとに適切な音速を短時間で求めることができるので、フレームレートを低下させることなく、高精度な超音波画像を構築することができる。
【図面の簡単な説明】
【００１６】
【図１】本発明に係る超音波検査装置の構成の一例を概念的に示すブロック図である。
【図２】図１に示す超音波検査装置の音速決定部の構成の一例を概念的に示すブロック図である。
【図３】画質判定部による領域ごとの判定結果を説明するための模式図である。
【図４】図１に示す超音波検査装置の音速算出部の動作を説明するためのフローチャートである。
【図５】図１に示す超音波検査装置の動作を説明するためのフローチャートである。
【発明を実施するための形態】
【００１７】
本発明に係る超音波検査装置、超音波検査装置の信号処理方法およびプログラムを添付の図面に示す好適実施形態に基づいて以下に詳細に説明する。
【００１８】
図１は、本発明の超音波検査装置の構成の一実施例を概念的に示すブロック図である。
図１に示すように、超音波検査装置１０は、超音波プローブ１２と、超音波プローブ１２に接続される送信部１４及び受信部１６と、Ａ／Ｄ変換部１８と、素子データ記憶部２０と、画像生成部２４と、表示制御部２６と、表示部２８と、制御部３０と、操作部３２と、格納部３４と、領域設定部５０と、音速決定部５２と、初期音速記憶部６４とを有する。
【００１９】
超音波プローブ（超音波探触子）１２は、通常の超音波検査装置に用いられる振動子アレイ３６を有する。
振動子アレイ３６は、１次元又は２次元アレイ状に配列された複数の素子、即ち超音波トランスデューサを有している。これらの超音波トランスデューサは、検査対象物（以下、被検体という）の超音波画像の撮像の際に、それぞれ送信部１４から供給される駆動信号に従って超音波ビームを被検体に送信すると共に、被検体からの超音波エコーを受信して受信信号（アナログ素子信号）を出力する。本実施形態では、振動子アレイ３６の複数の超音波トランスデューサの内の一組を成す所定数の超音波トランスデューサの各々は、１つの超音波ビームの各成分を発生し、一組の所定数の超音波トランスデューサは、被検体に送信する１つの超音波ビームを発生する。
【００２０】
各超音波トランスデューサは、例えば、ＰＺＴ（チタン酸ジルコン酸鉛）に代表される圧電セラミックや、ＰＶＤＦ（ポリフッ化ビニリデン）に代表される高分子圧電素子、ＰＭＮ−ＰＴ（マグネシウムニオブ酸・チタン酸鉛固溶体）に代表される圧電単結晶等からなる圧電体の両端に電極を形成した素子、即ち振動子によって構成される。
【００２１】
このような振動子の電極に、パルス状又は連続波状の電圧を印加すると、圧電体が伸縮し、それぞれの振動子からパルス状又は連続波状の超音波が発生して、それらの超音波の合成により超音波ビームが形成される。また、それぞれの振動子は、伝搬する超音波を受信することにより伸縮して電気信号を発生し、それらの電気信号は、超音波の受信信号（アナログ素子信号）として出力される。
【００２２】
送信部１４は、例えば、複数のパルサを含んでおり、制御部３０からの制御信号に応じて選択された送信遅延パターンに従い、振動子アレイ３６の一組の所定数の超音波トランスデューサ（以下、超音波素子という）から送信される超音波ビーム成分が１つの超音波ビームを形成するようにそれぞれの駆動信号の遅延量を調節して組を成す複数の超音波素子に供給する。
【００２３】
受信部１６は、制御部３０からの制御信号に応じて、振動子アレイ３６から送信された超音波ビームと被検体との間の相互作用によって発生された超音波エコーを、振動子アレイ３６が受信して出力した、受信信号、即ち超音波素子毎のアナログ素子信号を増幅して出力する。
【００２４】
ここで、受信部１６は、１回の超音波ビームの送信に対応して、複数の超音波素子が受信した複数のアナログ素子信号を、受信した超音波素子の情報および受信時間の情報を含む、１つのアナログの素子データとして出力する。すなわち、素子データは、素子の位置と受信時間とに対する受信信号の強度を表すデータである。
また、受信部１６は、送信部１４による１回の超音波ビームの送信ごとに、超音波エコーを受信してアナログの素子データを出力する。したがって、送信部１４が、複数回の超音波ビームの送信を行うことにより、各送信に対応した複数のアナログの素子データを出力する。
受信部１６は、アナログの素子データをＡ／Ｄ変換部１８に供給する。
【００２５】
Ａ／Ｄ変換部１８は、受信部１６に接続され、受信部１６から供給されたアナログの素子データを、デジタルの素子データ（第１の素子データ）に変換する。Ａ／Ｄ変換部１８は、Ａ／Ｄ変換されたデジタルの素子データを素子データ記憶部２０および画像生成部２４に供給する。
【００２６】
素子データ記憶部２０は、Ａ／Ｄ変換部１８から出力されるデジタルの素子データを順次格納する。また、素子データ記憶部２０は、制御部３０から入力されるフレームレートに関する情報（例えば、超音波の反射位置の深度、走査線の密度、視野幅を示すパラメータ）を上記のデジタルの素子データ（以下、単に素子データという）に関連付けて格納する。
【００２７】
領域設定部５０は、操作者による操作部３２からの入力に応じて、あるいは、制御部３０からの指示に応じて、超音波による検査を行う撮像領域に、複数の領域を設定する。本装置においては、この領域単位で適切な音速を決定する。
図３に、設定した領域を模式的に表す図を示す。図３において、ｙ方向が超音波の送信方向に対応し、ｘ方向が超音波素子の配列方向に対応している。
図３に破線で示すように、撮像領域を複数の矩形状の部分ごとに分割して領域を設定する。
なお、図示例においては、領域は矩形状としたが、これに限定はされず、超音波ビームを送信するラインに対応するライン状の領域であってもよいし、１画素に対応する点であってもよい。また、撮像領域の形状に対応して、例えば、コンベックスプローブの場合であれば、各領域は扇型であってもよい。また、図示例においては、各領域の大きさは同じとしたが、これに限定はされず、領域ごとに異なる大きさとしてもよい。
また、設定する領域の大きさには特に限定はないが、領域を小さく設定するほど、超音波画像全体の精度は向上するものの、音速を決定する際の処理時間が長くなるおそれがある。
領域設定部５０は、設定した領域の情報を音速決定部５２（素子データ取得部５６）に供給する。
【００２８】
初期音速記憶部６４は、音速決定部５２で各領域の音速を決定するために使用する、予め設定された所定の音速値である初期音速を記憶する部位である。
初期音速記憶部６４が記憶する初期音速は、生体内の音速値に近い値であることが好ましく、１４００〜１７００ｍ／ｓの範囲、特に、１４５０〜１５５０ｍ／ｓの範囲であることが好ましい。
【００２９】
なお、初期音速記憶部６４は、少なくとも１つの初期音速値を記憶すればよいが、診断部位（臓器の種類）ごとに適切な初期音速値をそれぞれ記憶しておいてもよい。
初期音速記憶部６４は、初期音速の情報を音速決定部５２の音速取得部５８に供給する。
【００３０】
音速決定部５２は、領域設定部５０が設定した領域ごとの適切な音速を順次、決定する部位である。
音速決定部５２は、素子データ取得部５６と、音速取得部５８と、画質判定部６０と、音速算出部６２とを有する。
なお、本発明において、領域の音速とは、この領域と超音波プローブ１２（振動子アレイ３６）との間が均一な物質で満たされていると仮定した場合の、超音波プローブ１２から領域までの音速を表すものである。すなわち、領域と超音波プローブ１２との間の平均的な音速であり、これを環境音速ともいう。
【００３１】
素子データ取得部５６は、領域設定部５０が設定した領域の情報に基づいて、音速を求める領域（以下、注目領域、ともいう）に対応する素子データを素子データ記憶部２０から読み出す部位である。
素子データ取得部５６は、読み出した素子データを画質判定部６０に供給する。
【００３２】
音速取得部５８は、初期音速記憶部６４が記憶している初期音速値を読み出す部位である。
初期音速記憶部６４が、１つの初期音速値を記憶している場合には、この初期音速を取得すればよい。また、初期音速記憶部６４が、複数の初期音速値を記憶している場合には、操作部３２から入力された、あるいは、予め設定されている診断部位の情報等に応じて、適切な初期音速値を選択して取得すればよい。
音速取得部５８は、取得した初期音速値を画質判定部６０に供給する。
【００３３】
画質判定部６０は、音速取得部５８が取得した初期音速に基づいて、素子データ取得部５６が取得した注目領域の素子データから注目領域の画像（注目画像）を生成して、この注目画像の画質を判定する部位である。
画質判定部６０は、まず、供給された素子データから注目領域の画像を生成する。画像の生成方法は、基本的には、後述する画像生成部２４と同様である。すなわち、音速取得部５８が取得した初期音速に基づく受信遅延パターンに従って、素子データに遅延を加えて加算することにより、受信フォーカス処理を行い、受信データ（音線信号）を生成する。生成した音線信号に対して、深度に応じた減衰の補正を施して、包絡線検波処理を施すことにより、Ｂモード画像データを生成する。
【００３４】
次に、生成した注目領域のＢモード画像データのシャープネス値を評価して画質を判定する。シャープネス値が所定の閾値以上であれば、画質は良いと判定し、閾値より小さければ画質は低いと判定する。
なお、画像のシャープネス値の算出方法としては、公知の算出方法を利用すればよく、例えば、注目領域における最大輝度点の半値幅をシャープネス値として算出する算出方法等が利用可能である。
【００３５】
図３を用いて、画質判定部６０が行う画質判定の一例を説明する。
図３においては、一例として、撮像領域に５×５の領域が設定されている。画質判定部６０は、領域ごとに画質判定を行い、それぞれの領域で判定結果が良（ＯＫ）か否（ＮＧ）かが判断される。図示例のように、画質判定の結果、ＮＧと判定された領域（（２、３）〜（２、５）、（３、３）〜（３、５））については、音速算出部６２による詳細な音速の算出が行われる。
【００３６】
なお、画質判定部６０が行う画質の判定方法は、シャープネス値による判定に限定はされず、コントラストや輝度値、画像の空間周波数、積分値、２乗積分値、ピーク値、半値幅、周波数スペクトル積分、最大値や直流成分で規格化された周波数スペクトル積分値や２乗積分値、自己相関値等の評価指標により画質の判定を行ってもよい。
また、画質判定部６０が行う画質の判定方法は、画像のシャープネス値（評価指標）を、所定の閾値と比較する構成に限定はされず、前回フレームの同じ領域の画像のシャープネス値と比較して、差が所定範囲以内であれば、良と判定する構成としてもよい。
【００３７】
また、画質判定部６０は、注目領域の画像ではなく、音速取得部５８が取得した予備音速に基づく受信遅延パターンに従って、素子データに遅延を加えて加算することにより、受信フォーカス処理を行った受信データに基づいて画質判定を行うこともできる。具体的には、予備音速における整相加算後の受信データを整相加算前と同じ受信素子分並べた基準信号と、予備音速で遅延時間補正して整相加算を行う前の受信データ（遅延時間補正された素子データ）との類似性を評価し、類似性が所定の閾値以上であれば、画質は良いと判定し、閾値以下であれば画質は低いと判定する。
【００３８】
画質判定部６０は、注目領域の画質判定の結果、画質が良と判定された場合には、画質判定に利用した初期音速を注目領域の音速として採用して、画像生成部２４の整相加算部３８に供給し、判定の結果画質が悪いと判定された場合には、音速算出部６２に判定結果を供給する。
【００３９】
音速算出部６２は、画質判定部６０の画質判定の結果、画質が悪いと判定された注目領域について、詳細に音速を算出する部位である。
音速算出部６２は、画質判定部６０から画質が悪いとの判定結果が供給されると、素子データ取得部５６が取得した、注目領域に対応する素子データを取得し、この素子データに対して、音速値（以下、設定音速という）を種々変更し、それぞれの設定音速に基づいて、受信フォーカス処理をして超音波画像を形成し、画像のコントラストおよび／またはシャープネスが最も高くなる設定音速を、注目領域の最適な音速値として算出する。
最適な音速値の判定方法としては、例えば、特開平８−３１７９２６号公報に記載のように、画像のコントラスト、スキャン方向の空間周波数、分散等に基づいて最適音速値の判定を行うことができる。
【００４０】
音速算出部６２について、図４に示すフローチャートを用いてより詳細に説明する。
音速算出部６２は、注目領域の素子データを取得すると、設定音速Ｖを、ＶｓｔからＶｅｎｄまで、ΔＶ刻みで変化させて、それぞれの設定音速Ｖにおいて、設定音速Ｖに基づいて、素子データ取得部から供給された注目領域の素子データに対して受信フォーカス処理をして音線信号を生成し、この音線信号から超音波画像を形成し、それぞれの設定音速Ｖでの注目領域の画像のシャープネスを算出する。
各設定音速Ｖでの画像のシャープネス値を比較して、得られたシャープネスの値が最も高い設定音速Ｖを最適な音速値として採用する。
なお、設定音速Ｖの探索範囲としては、Ｖｓｔは１４００ｍ／ｓ、Ｖｅｎｄは１７００ｍ／ｓ、ΔＶは１０〜５０ｍ／ｓ程度とすればよい。
音速算出部６２は、算出した音速値を注目領域の音速値として、画像生成部２４の整相加算部３８に供給する。
【００４１】
なお、音速算出部６２は、シャープネス値が最も高くなる設定音速を最適な音速値とする構成に限定はされず、コントラストや輝度値、あるいは、画像の空間周波数等の評価指標に基づいて、画質が最も良くなる設定音速を最適な音速値とすればよい。
【００４２】
また、音速算出部６２による最適な音速の算出方法は、所定の探索範囲で設定音速を順次、変更して画質が最も良くなる音速値を求める構成に限定はされず、各種の、領域ごとの最適な音速値の算出方法が利用可能である。例えば、各設定音速における整相加算後の受信データを整相加算前と同じ受信素子分並べた基準信号と、各設定音速で遅延時間補正して整相加算を行う前の受信データ（遅延時間補正された素子データ）とを、それぞれ各設定音速で類似性を評価し、類似性の高いときの音速を最適な音速値とする方法が利用可能である。
【００４３】
前述のとおり、超音波検査装置において、より高画質な画像を得るために、領域（画素、ライン）ごとに、複数の設定音速に基づいて、網羅的に画質を判定するための指標（フォーカス指標等）を求めて、画質の判定結果が最も良くなる設定音速を、最適な音速値として求めていた。そのため、全ての領域で最適な音速を求めるためには、時間を要するという問題があった。また、その結果、フレームレートが低下するという問題があった。
【００４４】
これに対して、本発明は、設定された複数の領域ごとに、予め設定されている初期音速値に基づいて画像を生成した場合の画質を判定して、画質判定の結果が良であれば、初期音速値を該当する領域の音速として採用するので、複数の設定音速で、網羅的に画質判定のための指標を求めて、判定結果が最も良くなる設定音速を求める必要がないため、短時間で、領域ごとの適切な音速値を求めることができる。
また、初期音速に基づく画質判定の結果が否となった場合には、該当する領域の最適な音速を求めるので、高画質な画像を得ることができる。
以上から、本発明の超音波検査装置は、領域ごとの適切な音速値を短時間で求めることができ、フレームレートを低下させることなく、高精度な超音波画像を構築することができる。
【００４５】
画像生成部２４は、制御部３０による制御下で、Ａ／Ｄ変換部１８あるいは素子データ記憶部２０から供給された素子データから音線信号（受信データ）を生成し、この音線信号から超音波画像を生成するものである。
画像生成部２４は、整相加算部３８、検波処理部４０、ＤＳＣ４２、画像作成部４４、および、画像メモリ４６を有する。
【００４６】
整相加算部３８は、制御部３０において設定された受信方向に応じて、音速取得部５８（画質判定部６０および音速算出部６２）から供給される各領域の音速（音速マップ）に基づいて、予め記憶されている複数の受信遅延パターンの中から１つの受信遅延パターンを選択し、選択された受信遅延パターンに基づいて、素子データの素子ごとの信号にそれぞれの遅延を与えて加算することにより、受信フォーカス処理を行う。この受信フォーカス処理により、超音波エコーの焦点が絞り込まれた受信データ（音線信号）が生成される。
ここで、整相加算部３８は、音速取得部５８が取得した領域ごとの適切な音速を利用して、素子データの受信フォーカス処理を行うので、高精度な受信データを得ることができる。
整相加算部３８は、受信データを検波処理部４０に供給する。
【００４７】
検波処理部４０は、整相加算部３８で生成された受信データに対し、超音波の反射位置の深度に応じて距離による減衰の補正を施した後、包絡線検波処理を施すことにより、被検体内の組織に関する断層画像情報であるＢモード画像データを生成する。
ＤＳＣ（digital scan converter）４８は、検波処理部４０で生成されたＢモード画像データを通常のテレビジョン信号の走査方式に従う画像データに変換（ラスター変換）する。
【００４８】
画像作成部４４は、ＤＳＣ４２から入力されるＢモード画像データに階調処理等の各種の必要な画像処理を施して検査や表示に供するためのＢモード画像データを作成した後、作成された検査用又は表示用Ｂモード画像データを表示のために表示制御部２６に出力する、或いは画像メモリ４６に格納する。
画像メモリ４６は、画像作成部４４で作成された検査用Ｂモード画像データを一旦格納する。画像メモリ４６に格納された検査用Ｂモード画像データは、必要に応じて、表示部２８で表示するために表示制御部２６に読み出される。
【００４９】
表示制御部２６は、画像作成部４４によって画像処理が施された検査用Ｂモード画像信号に基づいて、表示部２８に超音波画像を表示させる。
表示部２８は、例えば、ＬＣＤ等のディスプレイ装置を含んでおり、表示制御部２６の制御の下で、超音波画像を表示する。
【００５０】
制御部３０は、操作者により操作部３２から入力された指令に基づいて超音波検査装置１０の各部の制御を行う。
ここで、制御部３０は、操作者によって操作部３２を介して種々の情報、特に、領域設定部５０で領域を設定するために必要な情報、および、音速決定部５２で音速を決定するために必要な情報の入力が行われた際に、操作部３２から入力された上述の種々の情報を、必要に応じて、送信部１４、受信部１６、素子データ記憶部２０、画像生成部２４、表示制御部２６、領域設定部５０および音速決定部５２等の各部に供給する。
【００５１】
操作部３２は、操作者が入力操作を行うためのものであり、キーボード、マウス、トラックボール、タッチパネル等から形成することができる。
また、操作部３２は、操作者が必要に応じて各種の情報、特に上述の領域の設定に用いられる情報、ならびに、音速決定に用いられる情報等を入力操作するための入力装置を備えている。
【００５２】
格納部３４は、操作部３２から入力された各種の情報等や、送信部１４、受信部１６、素子データ記憶部２０、画像生成部２４、表示制御部２６、領域設定部５０および音速決定部５２等の制御部３０で制御される各部の処理や動作に必要な情報、並びに、各部の処理や動作を実行させるための動作プログラムや処理プログラム等を格納するもので、ハードディスク、フレキシブルディスク、ＭＯ、ＭＴ、ＲＡＭ、ＣＤ−ＲＯＭ、ＤＶＤ−ＲＯＭ等の記録媒体を用いることができる。
なお、整相加算部３８、検波処理部４０、ＤＳＣ４２、画像作成部４４、音速取得部５８、画質判定部６０、音速算出部６２及び表示制御部２６は、ＣＰＵと、ＣＰＵに各種の処理を行わせるための動作プログラムから構成されるが、それらをデジタル回路で構成してもよい。
【００５３】
本発明の超音波検査装置の動作、作用について説明する。
まず、領域設定部５０は、操作部３２からの入力、あるいは、制御部３０からの指示に応じて、超音波による走査を行う撮像領域に、複数の領域を設定する。また、初期音速記憶部６４には、予め設定された初期音速が記憶されている。
【００５４】
操作者が、超音波プローブ１２を被検体の表面に当接し、測定を開始すると、送信部１４から供給される駆動信号に従って振動子アレイ３６から超音波ビームが送信され、被検体からの超音波エコーを、振動子アレイ３６が受信し、受信信号としてアナログ素子信号を出力する。
受信部１６は、各素子が出力するアナログ素子信号を１つのアナログの素子データとして出力し、Ａ／Ｄ変換部１８に供給する。Ａ／Ｄ変換部１８は、アナログの素子データをデジタルの素子データに変換して素子データ記憶部２０に供給して、記憶保持させる。
【００５５】
素子データが記憶されると、音速決定部５２により、領域ごとの音速が決定される。
音速決定部５２の動作を、図５のフローチャートを用いて説明する。
音速決定部５２の音速取得部５８は、初期音速記憶部６４に記憶されている初期音速を読み出して、画質判定部６０に供給する。また、素子データ取得部５６は、画質を判断する領域（注目領域）に対応する素子データを読み出し、画質判定部６０に供給する。
画質判定部６０は、まず、音速取得部５８が取得した初期音速に基づく受信遅延パターンに従って、素子データ取得部５６が取得した注目領域の素子データの受信フォーカス処理を行い、受信データを生成し、深度に応じた減衰の補正を施して、包絡線検波処理を施すことにより、Ｂモード画像データを生成する。次に、生成した注目領域のＢモード画像データのシャープネス値を評価して画質を判定し、画質が良と判定された場合には、画質判定に利用した初期音速を注目領域の音速として採用し、画像生成部２４の整相加算部３８に供給する。また、画質判定の結果が否の場合には、判定結果を音速算出部６２に供給する。
音速算出部６２は、画質判定の結果が否の場合に、設定音速を網羅的に変更して、最も画質が良くなる音速を、注目領域の音速として算出し、整相加算部３８に供給する。
【００５６】
画像生成部２４の整相加算部３８は、素子データ記憶部２０から素子データを読み出して、素子データ対して、画質判定部６０および音速算出部６２から供給された領域ごとの音速に基づいて、受信遅延パターンを選択して、受信フォーカス処理を施して受信データ（音線信号）を生成し、検波処理部４０に供給する。検波処理部４０は、音線信号を処理してＢモード画像信号を生成する。Ｂモード画像信号を、ＤＳＣ４２がラスター変換し、画像作成部４４が画像処理を施し、超音波画像が生成される。生成された超音波画像は、画像メモリ４６に格納されると共に、表示制御部２６により超音波画像が表示部２８に表示される。
【００５７】
このように本発明の超音波検査装置は、設定された複数の領域ごとに、予め設定されている初期音速値に基づいて画像を生成した場合の画質を判定して、画質判定の結果が良であれば、初期音速値を該当する領域の音速として採用するので、複数の設定音速で、網羅的に画質判定のための指標を求めて、判定結果が最も良くなる設定音速を求める必要がないため、短時間で、領域ごとの適切な音速値を求めることができる。
また、初期音速に基づく画質判定の結果が否となった場合には、該当する領域の最適な音速を求めるので、高画質な画像を得ることができる。
以上から、本発明の超音波検査装置は、領域ごとの適切な音速値を短時間で求めることができ、フレームレートを低下させることなく、高精度な超音波画像を構築することができる。
【００５８】
なお、上記実施例においては、画質判定部６０は、注目領域の画像を生成して、画像に基づく評価指標（シャープネス値等）を求めて画質を評価する構成としたが、本発明はこれに限定はされず、注目領域の画像を生成せずに、注目領域の素子データから画質の判定を行ってもよい。すなわち、複数の設定音速毎に、素子データに受信フォーカス処理を施して、フォーカス指標を求めて、フォーカス指標に基づいて最適な音速を決定する構成としてもよい。
フォーカス指標の算出方法および判定方法としては、例えば、特開２０１１−９２６８６号公報に記載の方法を利用することができる。
【００５９】
また、上記実施例においては、画質判定部６０は、画質の判定を行うための画像を生成する機能を有する構成としたが、本発明はこれに限定はされず、画像生成部２４において、画質判定用の画像を生成して、画質判定部６０において判定する構成としてもよい。この場合は、画質判定の結果ＮＧとされた領域については、音速算出部６２が算出した音速に基づいて、再度、画像生成部２４が画像を生成し、全体の超音波画像を生成すればよい。
また、画質判定部による判定結果が良の領域では、画質の判定に利用した画像を、超音波画像に利用してもよい。
【００６０】
また、上記実施例においては、初期音速記憶部６４が記憶する初期音速は、予め設定されているものとしたが、本発明はこれに限定はされず、初期音速記憶部６４が記憶されている初期音速を、適宜、更新するようにしてもよい。例えば、音速決定部５２が決定した各領域の音速の平均値等を、次フレームでの初期音速に設定してもよい。
また、記憶される初期音速を更新するタイミングにも、特に限定はなく、毎フレームごとや所定のフレーム間隔で、初期音速の更新を行ってもよいし、画質判定部６０による画質判定の結果ＮＧとなった領域の数が所定数を超えた場合に、初期音速を更新するようにしてもよい。
【００６１】
また、上記実施例においては、初期音速を取得して画質判定を行い、判定結果が否の場合には、音速算出部６２により、注目領域の最適な音速を算出する構成としたが、これに限定はされず、判定結果が否の場合には、判定結果を表示部２８に表示して、操作者に警告を行う構成としてもよい。この場合は、音速の算出を行わせるか否かは、操作者が決定すればよい。
【００６２】
また、本実施形態の超音波検査装置は、図示を省略した制御部に付属したメモリに格納された信号処理プログラムによって制御される。すなわち、制御部によってメモリから信号処理プログラムが読み出され、該信号処理プログラムに従って、領域が設定され、設定された領域に対して順次、画質判定を行って音速を決定する機能が実行される。
【００６３】
なお、超音波検査装置の信号処理プログラムは、このように制御部に付属のメモリに格納されるものに限定されず、該信号処理プログラムを、例えば、ＣＤ−ＲＯＭなど、本超音波検査装置に着脱可能に構成されるメモリ媒体（リムーバブル媒体）に記録しておき、リムーバブル媒体に対応するインターフェイスを介して本装置に読み込むように構成してもよい。
【００６４】
以上、本発明の超音波検査装置、超音波検査装置の信号処理方法およびプログラムについて詳細に説明したが、本発明は、以上の例には限定されず、本発明の要旨を逸脱しない範囲において、各種の改良や変形を行ってもよいのはもちろんである。
【符号の説明】
【００６５】
１０    超音波検査装置
１２    超音波プローブ
１４    送信部
１６    受信部
１８    Ａ／Ｄ変換部
２０    素子データ記憶部
２４    画像生成部
２６    表示制御部
２８    表示部
３０    制御部
３２    操作部
３４    格納部
３６    振動子アレイ
３８    整相加算部
４０    検波処理部
４２    ＤＳＣ
４４    画像作成部
４６    画像メモリ
５０    領域設定部
５２    音速決定部
５６    素子データ取得部
５８    音速取得部
６０    画質判定部
６２    音速算出部
６４    初期音速記憶部
【図１】
2014068755.tif 000003
【図２】
2014068755.tif 000004
【図３】
2014068755.tif 000005
【図４】
2014068755.tif 000006
【図５】
2014068755.tif 000007